(57)【要約】【課題】  空調精度の悪化を招くことなく且つクリップ部との結合が容易に解除されることなく、アクチュエータの取付作業性及び空調機本体の配置の自由度の向上を図ることができるアクチュエータの取付構造を提供する。【解決手段】  空調機本体１０のハウジング１３の外周面１３ａに設けられた各クリップ部２１の各可撓部２３の基端部２３ｂに、アクチュエータ１１の取付孔１８に嵌合しクリップ部２１の軸線に直交する方向へのアクチュエータ１１の移動を規制するための規制部２５を設け、各クリップ部２１内に、取付孔１８内に設けられた各係止爪１９が各可撓部２３に設けられた各係合突起２４に係止された状態で、各可撓部２３がクリップ部２１の内方へ向けて撓み変形することを防止すべく各可撓部２３をその内方から押えるための押え部３０を挿入する。【選択図】  図３
2007191033.tif 000002
【特許請求の範囲】
【請求項１】
空調装置の空調機本体の取付面から伸び、径方向外方へ向けて突出する係合突起が形成された撓み変形可能な複数の可撓部を有する全体に筒状のクリップ部を、アクチュエータに形成され、前記各可撓部の前記係合突起に係止される係止爪が設けられた取付孔内に挿通することにより前記アクチュエータを前記空調機本体に取り付けるアクチュエータの取付構造であって、前記クリップ部の基端部には、前記アクチュエータの前記取付孔に嵌合し、前記クリップ部の軸線に直交する方向への前記アクチュエータの移動を規制するための規制部が設けられており、前記クリップ部内には、前記係止爪が前記各係合突起に係止された状態で、前記各可撓部が前記クリップ部の内方へ向けて撓み変形することを防止すべく前記各可撓部を前記クリップ部の内方から押えるための押え部材が挿入されていることを特徴とするアクチュエータの取付構造。
【発明の詳細な説明】
【技術分野】
【０００１】
本発明は、例えば車両に設けられる空調機本体へのアクチュエータの取付構造に関する。
【背景技術】
【０００２】
従来、例えば車両の室内温度を調節する空調装置は、外気および内気の吸入割合を調整するためのインテークドアや冷風及び温風の混合風量を調節するためのエアミックスドア等が組み込まれた空調機本体と、各ドアをそれぞれ設定温度に応じた回動位置まで回動させるための駆動源であるアクチュエータとを備える（例えば、特許文献１参照。）。
【０００３】
アクチュエータは、各ドアが固定される出力軸を備え、アクチュエータに形成された取付孔に挿通されたねじ部材により空調機本体の取付面に取り付けられている。
【０００４】
しかしながら、アクチュエータがねじ部材により空調機本体に取り付けられていることから、例えばドライバーのような工具を用いてねじ部材を取付部にねじ込む作業が必要となるため、空調機本体へのアクチュエータの取付作業性が悪い。空調機本体へアクチュエータの取り付け作業を行う場合の工具のスペースを確保するために、空調機本体の形状が制約される。また、車両の例えばインストルメントパネル内のように狭い空間内で空調機本体へのアクチュエータの取付作業を行う場合、その空間内にねじ込み用の工具を操作するスペースを確保する必要があるため、空調機本体の配置に制約を受ける。
【０００５】
そこで、空調機本体の取付面に、径方向外方へ向けて突出する係合突起が形成された撓み変形可能な複数の可撓部を有する全体に筒状のクリップ部を設け、アクチュエータの取付孔内に各可撓部の係合突起に係止される係止爪を設け、クリップ部をアクチュエータの取付孔内に挿通することによりアクチュエータを空調機本体に取り付けることが考えられる。これによれば、クリップ部をアクチュエータの取付孔内に各可撓部をクリップ部の内方へ向けて撓ませることにより挿入し、クリップ部の各可撓部の係合突起を取付孔の係止爪に係合することにより、アクチュエータを空調機本体に格別な工具を用いることなく容易に取り付けることができる。これにより、ねじ部材を用いることによる空調機本体へのアクチュエータの取付作業性の悪化を防止することができる。また、空調機本体へのアクチュエータの取付に工具を用いる必要はないので、例えば空調機本体へアクチュエータの取り付け作業を行う場合の工具のスペースを確保するために、空調機本体の形状が制約されるインストルメントパネル内のように狭い空間内で空調機本体へのアクチュエータの取付作業を行う場合でも、その空間内に取付用の工具を操作するスペースを確保する必要はなく、従って、空調機本体の形状、空調機本体の配置に制約を受けることはない。
【特許文献１】特開平４−１５１３２０号（第５頁、図１）
【発明の開示】
【発明が解決しようとする課題】
【０００６】
しかしながら、アクチュエータがクリップ部に該クリップ部の各可撓部の弾性力を利用して結合されていることから、アクチュエータの出力軸に固定されたドアが空調用の風から大きな力を受けたときに、その力が取付孔内に挿入されたクリップ部の各可撓部に該可撓部をクリップ部の軸線に直交する方向に撓み変形させる力として作用した場合、各可撓部の撓み変形により空調機本体へのアクチュエータの取付姿勢が適正な取付姿勢からずれてしまう。このため、出力軸に固定されたドアの回動位置が設定された回動位置からずれてしまい、外気および内気の吸入割合や冷風及び温風の混合風量等の調整の精度が悪化してしまう。
【０００７】
また、アクチュエータに空調機本体から離反させる方向に大きな力が作用したとき、クリップ部の各可撓部がアクチュエータから係止爪を介して受ける力によりクリップ部の内方へ向けて撓み変形してしまう虞がある。各可撓部がクリップ部の内方へ撓み変形すると、各可撓部の係合突起への係止爪の係止が解除されてしまい、クリップ部が取付孔内から抜け出してしまう。
【０００８】
そこで、本発明の目的は、空調精度の悪化を招くことなく且つクリップ部との結合が容易に解除されることなく、アクチュエータの取付作業性及び空調機本体の配置の自由度の向上を図ることができるアクチュエータの取付構造を提供することにある。
【課題を解決するための手段】
【０００９】
上記課題を解決するために、請求項１に記載の発明は、空調装置の空調機本体の取付面から伸び、径方向外方へ向けて突出する係合突起が形成された撓み変形可能な複数の可撓部を有する全体に筒状のクリップ部を、アクチュエータに形成され、前記各可撓部の前記係合突起に係止される係止爪が設けられた取付孔内に挿通することにより前記アクチュエータを前記空調機本体に取り付けるアクチュエータの取付構造であって、前記クリップ部の基端部には、前記アクチュエータの前記取付孔に嵌合し、前記クリップ部の軸線に直交する方向への前記アクチュエータの移動を規制するための規制部が設けられており、前記クリップ部内には、前記係止爪が前記各係合突起に係止された状態で、前記各可撓部が前記クリップ部の内方へ向けて撓み変形することを防止すべく前記各可撓部を前記クリップ部の内方から押えるための押え部材が挿入されていることを特徴とする。
【発明の効果】
【００１０】
請求項１に記載の構成によれば、アクチュエータに形成された取付孔内に空調機本体に設けられたクリップ部を挿入し、該クリップ部の各可撓部の係合突起を取付孔に設けられた係止爪に係合し、押え部材をクリップ部内に挿入することにより、アクチュエータを空調機本体に格別な工具を用いることなく容易に取り付けることができる。これにより、空調機本体へのアクチュエータの取付に従来のようなねじ部材を用いることによる空調機本体へのアクチュエータの取付作業性の悪化を確実に防止することができる。また、空調機本体へのアクチュエータの取付に工具を用いる必要はないことから、例えば、空調機本体へアクチュエータの取り付け作業を行う場合の工具のスペースを確保するために、空調機本体の形状が制約される車両のインストルメントパネル内のように狭い空間内で空調機本体へのアクチュエータの取付作業を行う場合でも、その空間内に取付用の工具を操作するスペースを確保する必要はなく、従って、空調機本体の配置に従来のような制約を受けることはない。
【００１１】
また、クリップ部の基端部には、アクチュエータの取付孔に嵌合し、クリップ部の軸線に直交する方向へのアクチュエータの移動を規制するための規制部が設けられていることから、例えばアクチュエータに固定されたドアが空調用の風から大きな力を受けたときに、その力は、取付孔内に挿入されたクリップ部に作用することなく、規制部に該規制部をクリップ部の軸線に直交する方向に圧縮する圧縮力としてアクチュエータから作用する。従って、アクチュエータから受ける力によりクリップ部の各可撓部がクリップ部の軸線に直交する方向に撓み変形することによる空調機本体へのアクチュエータの取付姿勢の適正な姿勢からのずれが防止され、ドアの回動位置が設定された回動位置からずれることが防止されるので、外気および内気の吸入割合や冷風及び温風の混合風量等の従来のような調整の精度の悪化を確実に防止することができる。
【００１２】
更に、クリップ部内には、係止爪が各係合突起に係止された状態で、各可撓部がクリップ部の内方へ向けて撓み変形することを防止すべく各可撓部をクリップ部の内方から押えるための押え部材が挿入されていることから、クリップ部の各可撓部にクリップ部の内方へ向けて撓ませる力が作用したとしても、その力はクリップ部内に挿入された押え部材をその周囲から圧縮する圧縮力として受け止められるので、各可撓部がクリップ部の内方へ向けて撓み変形することが防止される。これにより、アクチュエータに空調機本体から離反させる方向に大きな力が作用したとき、クリップ部の各可撓部がアクチュエータから係止爪を介して受ける力によりクリップ部の内方へ向けて撓み変形することが防止される。従って、各可撓部がクリップ部の内方へ撓み変形することによる各可撓部の係合突起への係止爪の係止の解除が防止されるので、取付孔内からのクリップ部が抜け出しを確実に防止することができる。
【発明を実施するための最良の形態】
【００１３】
本発明を図示の実施例に沿って説明する。
【実施例】
【００１４】
図１は、車両の室内温度を調節する図示しない空調装置の空調機本体１０にアクチュエータ１１を取り付ける取付構造１２に本発明を適用した例を示す。
【００１５】
空調機本体１０は、車両の図示しないインストルメントパネル内に配置されており、ハウジング１３を備える。ハウジング１３の外周面１３ａには、図示の例では、アクチュエータ１１を取り付けるための四つの取付部１４がそれぞれ長方形の各頂点を構成するように設けられている。
【００１６】
本発明に係るアクチュエータ１１は、空調機本体１０のハウジング１３内に配置されたエアミックスドアＤ（図２参照。）を回動させるための駆動源であり、空調機本体１０のハウジング１３の外周面１３ａ上に各取付部１４で囲まれた領域内で配置されている。エアミックスドアＤは、従来よく知られているように、空調機本体１０に設けられた図示しない熱交換器によって冷却された外気と例えばエンジン冷却水を熱源とする図示しないヒータコアからの温風との混合割合を調節するためのドアである。アクチュエータ１１は、図２に示すように、それぞれほぼ直方体をなすハウジング１５と出力軸１６とを備える。
【００１７】
出力軸１６は、その端部１６ａがハウジング１５の空調機本体１０側に位置する壁面１５ａから空調機本体１０に向けて突出するようにハウジング１５内に収容されている。出力軸１６の端部１６ａには、エアミックスドアＤが固定されている。出力軸１６は、図示しないが従来よく知られているように、ハウジング１５内に収容された電動モータから歯車列を介して伝わる回転力により回転し、これにより、エアミックスドアＤを設定温度に応じた回動位置まで回動させる。
【００１８】
ハウジング１５には、空調機本体１０のハウジング１３に設けられた各取付部１４のそれぞれに結合される複数のブラケット１７が形成されている。
【００１９】
各ブラケット１７は、図示の例では、それぞれ板状をなしており、ハウジング１５の互いに向かい合う側壁１５ｂからそれぞれに対応する各取付部１４に向けて突出し且つ板厚方向が出力軸１６の軸線に沿うように形成されている。各ブラケット１７の先端部１７ａには、図３に示すように、それぞれ該各ブラケットをその板厚方向に貫通する取付孔１８が形成されている。各取付孔１８の内周面１８ａには、それぞれ該内周面から各取付孔１８の中心に向けて伸びる複数の係止爪１９が取付孔１８の周方向に沿って互いに等間隔をおいて形成されている。各係止爪１９は、図示の例では、取付孔１８の内周面１８ａの中心軸方向の中央部に形成されている。これにより、各係止爪１９の基端部１９ａと取付孔１８の空調機本体１０側の縁部１８ｂとの間には間隔がおかれる。また、各係止爪１９は、全体ですり鉢状をなすように取付孔１８の前記縁部１８ｂから該縁部と反対側に位置する縁部１８ｃに向けて傾斜している。
【００２０】
本発明に係る取付構造１２では、空調機本体１０のハウジング１３に設けられた各取付部１４は、図２に示すように、それぞれハウジング１３の外周面１３ａからハウジング１３の外方へ伸びる柱部２０を有する。更に、各取付部１４は、図３に示すように、それぞれ柱部２０の先端面２０ａから伸び、各ブラケット１７の取付孔１８内に挿入される筒状のクリップ部２１を有する。
【００２１】
柱部２０は、図４に示すように、ほぼ矩形状の横断面を有する。柱部２０の長さ寸法は、アクチュエータ１１の出力軸１６の長さ寸法及びハウジング１５の大きさ等に応じて設定されている。柱部２０の先端部２０ｂにおける外周面の一面を除く三面には、図３及び図４に示すように、柱部２０の周方向に沿って伸びる溝２６が形成されている。溝２６には、後述する保持部材２７の係止部２８が係止される。
【００２２】
各クリップ部２１は、図示の例では、柱部２０に一体に形成されている。各クリップ部２１には、図３及び図４に示すように、その互いに対向する位置で各クリップ部２１の軸線に沿って伸び且つ各クリップ部２１の先端に開放する一対のスリット２２が形成されている。これにより、各クリップ部２１には、該各クリップ部の内方及び外方へ撓み変形可能な一対の半円筒状の可撓部２３が形成されている。
【００２３】
各クリップ部２１の先端部すなわち両可撓部２３の先端部２３ａには、それぞれ各ブラケット１７の各係止爪１９に係止可能な係合突起２４が各クリップ部２１の外方へ突出して形成されている。各係合突起２４は、それぞれ各ブラケット１７の空調機本体１０側の面１８ｂが柱部２０の先端面２０ａに当接した状態で、各係止爪１９に係合する。これにより、各クリップ部２１の軸線に沿った各ブラケット１７の移動が規制される。
【００２４】
各クリップ部２１の基端部すなわち各可撓部２３の基端部２３ｂには、それぞれクリップ部２１の軸線に直交する方向へのアクチュエータ１１の移動を規制するための規制部２５が形成されている。各規制部２５は、それぞれ各クリップ部２１の外方へ突出し且つ各可撓部２３の周方向に伸びる段部で構成されている。各規制部２５の突出量及び高さ寸法は、各係合突起２４が各ブラケット１７の各係止爪１９に係合した状態で各ブラケット１７の取付孔１８内に各係止爪１９の基端部１９ａと取付孔１８の空調機本体１０側の縁部１８ｂとの間で嵌合する大きさを有する。これにより、各クリップ部２１が各取付孔１８内に挿入されたとき、各規制部２５がそれぞれ各取付孔１８の前記縁部１８ｂに各取付孔１８内から係合するので、各クリップ部２１の軸線に直交する方向への各ブラケット１７の移動が規制される。
【００２５】
更に、本発明に係る取付構造１２は、各ブラケット１７及び各取付部１４間の結合状態を保持するための複数の前記した保持部材２７を備える。
【００２６】
各保持部材２７は、図３に示すように、各ブラケット１７の先端部１７ａを覆うように配置される板状のカバー部２９と、該カバー部からクリップ部２１に向けて突出し、該クリップ部の両可撓部２３をクリップ部２１の内方から押えるべくクリップ部２１内に挿入される押え部３０と、該押え部３０がクリップ部２１内に挿入された状態に保持するための保持部３１とをそれぞれ有する。
【００２７】
カバー部２９は、図５に示すように、平面が取付部１４の柱部２０の横断面と等しい形状をなしている。
【００２８】
押え部３０は、図３に示すように、カバー部２９からクリップ部２１に向けて径が漸減する円錐台形状をなしており、その基端部３０ａは、クリップ部２１の口径よりも大きい径を有し、その先端部３０ｂは、クリップ部２１の口径よりも小さい径を有する。これにより、押え部３０がクリップ部２１内に挿入された状態では、図６に示すように、クリップ部２１の両可撓部２３にはクリップ部２１の内方から外方へ向けての押圧力が押え部３０から作用し、また、両可撓部２３はその先端部２３ａが互いに離反するようにクリップ部２１の外方へ撓み変形する。これにより、各可撓部２３の先端部２３ａに形成された各係合突起２４は、該各係合突起に係合した各係止爪１９に押し付けられる。
【００２９】
保持部３１は、図３及び図５に示すように、カバー部２９の周縁部２９ａから柱部２０に向けて伸び且つ周縁部２９ａの柱部２０の溝２６が形成された面に対応する部分に沿って伸びる板状をなしており、Ｕ字状の横断面を有する。保持部３１の下端部３１ａには、押え部３０がクリップ部２１内に挿入された状態で柱部２０の溝２６に係止される複数の前記した係止部２８が互いに所定の間隔をおいて形成されている。保持部３１の各係止部２８がそれぞれ溝２６に係止された状態では、各ブラケット１７と各クリップ部２１との結合部分がその外方から保持部３１により覆われる。
【００３０】
アクチュエータ１１を空調機本体１０に取り付ける際、アクチュエータ１１の各ブラケット１７の取付孔１８内にそれぞれ空調機本体１０の各取付部１４のクリップ部２１を挿入する。このとき、各クリップ部２１の両可撓部２３をその先端部２３ａが互いに近づくように各クリップ部２１の内方へ撓み変形させることにより、各ブラケット１７の各係止爪１９が両可撓部２３の先端部２３ａに形成された各係合突起２４を容易に乗り越えることができる。続いて、各係止爪１９をそれぞれ各可撓部２３の各係合突起２４に係止させると共に各可撓部２３の基端部２３ｂに形成された各規制部２５を各ブラケット１７の取付孔１８内に嵌合させる。
【００３１】
次に、各保持部材２７の押え部３０を各クリップ部２１内に挿入し、更に、保持部材２７の保持部３１の各係止部２８をそれぞれ柱部２０の溝２６に係止させる。このとき、保持部３１の互いに向かい合う両端部３１ｂ（図５参照。）を互いに離反させる方向に撓ませることにより、各係止部２８を溝２６に容易に係止させることができる。これにより、各ブラケット１７がそれぞれ各クリップ部２１の軸線に沿った移動及び該軸線に直交する方向への移動が規制された状態で各取付部１４に結合される。各取付部１４への各ブラケット１７の結合により、アクチュエータ１１が空調機本体１０に取り付けられる。
【００３２】
アクチュエータ１１を空調機本体１０から取り外す際、先ず、各取付部１４の溝２６への各保持部材２７の各係止部２８の係止を解除させ、押え部３０を各クリップ部２１内から抜き出す。次に、各クリップ部２１の各可撓部２３をその先端部２３ａが互いに近づく方向に撓ませることにより各係止爪１９への各可撓部２３の係合突起２４の係合を解除し、各クリップ部２１をそれぞれ各ブラケット１７の取付孔１８内から抜き出す。これにより、各ブラケット１７と各取付部１４との結合が解除され、アクチュエータ１１を空調機本体１０から取り外すことができる。
【００３３】
本発明によれば、前記したように、アクチュエータ１１に設けられた各ブラケット１７の取付孔１８内に空調機本体１０に設けられた各取付部１４のクリップ部２１を挿入し、該クリップ部の各係合突起２４を各ブラケット１７の各係止爪１９に係合し、保持部材２７を装着することにより、アクチュエータ１１を空調機本体１０に格別な工具を用いることなく容易に取り付けることができる。
【００３４】
これにより、空調機本体１０へのアクチュエータ１１の取付に従来のようなねじ部材を用いることによる空調機本体１０へのアクチュエータ１１の取付作業性の悪化を確実に防止することができる。また、空調機本体１０へのアクチュエータ１１の取付に工具を用いる必要はないことから、前記空調機本体へアクチュエータの取り付け作業を行う場合の工具のスペースを確保するために、空調機本体の形状が制約されるインストルメントパネル内のように狭い空間内で空調機本体１０へのアクチュエータ１１の取付作業を行う場合でも、その空間内に取付用の工具を操作するスペースを確保する必要はなく、従って、空調機本体１０の配置に従来のような制約を受けることはない。
【００３５】
また、前記したように、各クリップ部２１の各可撓部２３の基端部２３ｂに形成された規制部２５により、各取付部１４への各ブラケット１７の結合状態でクリップ部２１の軸線に直交する方向への各ブラケット１７の移動が規制されることから、例えばアクチュエータ１１に固定されたエアミックスドアＤが空調用の風から大きな力を受けたときでも、その力は、各ブラケット１７の取付孔内に挿入されたクリップ部２１に作用することなく、規制部２５に該規制部をクリップ部２１の軸線に直交する方向に圧縮する圧縮力としてブラケット１７から作用する。
【００３６】
従って、各ブラケット１７から受ける力により各クリップ部２１がその軸線に直交する方向に弾性変形することによる取付部１４へのブラケット１７の結合位置の適正な位置からのずれが防止され、エアミックスドアＤの回動位置が設定された回動位置からずれることが防止されるので、外気および内気の吸入割合や冷風及び温風の混合風量等の従来のような調整の精度の悪化を確実に防止することができる。
【００３７】
更に、前記したように、各クリップ部１７内には、各可撓部２３を各クリップ部１７の内方から押えるために保持部材２７の押え部３０が挿入されていることから、各クリップ部１７に各可撓部２３をその内方へ向けて撓ませる力が作用したとしても、その力はクリップ部１７内に挿入された押え部３０で該押え部をその周囲から圧縮する圧縮力として受け止められるので、両可撓部２３がクリップ部１７の内方へ向けて撓み変形することが防止される。
【００３８】
これにより、各ブラケット１７に各取付部１４から離反させる方向に大きな力が作用したとき、各クリップ部１７の各可撓部２３が各係止爪１９を介してブラケット１７から受ける力によりクリップ部２１の内方へ向けてすなわち各係止爪１９への各係合突起２４の係合が解除される方向に撓み変形することが防止される。
【００３９】
従って、各可撓部２３がクリップ部１７の内方へ向けて撓み変形することによる従来のような取付部１４からのブラケット１７の脱落を確実に防止することができる。
【００４０】
また、前記したように、押え部３０はその径がカバー部２９からクリップ部２１に向けて漸減する円錐台形状をなすように形成されており、押え部３０をクリップ部２１内に挿入した状態で、各可撓部２３の各係合突起２４が該各係合突起に係合した各係止爪１９に押し付けられることから、各ブラケット１７は、各可撓部２３から各係止爪１９を介して受ける力により、柱部２０の先端面２０ａに押し付けられる。これにより、各クリップ部１７の軸線方向の各ブラケット１７の移動をより確実に防止することができるので、各ブラケット１７の取付孔１８内からのクリップ部２１の抜け出しをより確実に防止することができ、また、例えば車体から受ける振動により各ブラケット１７が各クリップ部２１の軸線方向に移動することによる騒音の発生を確実に防止することができる。
【００４１】
更に前記したように、保持部３１の各係止部２８がそれぞれ溝２６に係止された状態では、各ブラケット１７と各クリップ部２１との結合部分がその外方から保持部３１により覆われることから、外観の悪化を防止することができる。
【００４２】
本実施例では、各取付部１４の柱部２０に溝２６が形成されており、該溝に保持部材２７の係止部２８が係止される例を示したが、これに代えて、例えば各クリップ部２１又は各ブラケット１７に溝を形成し、該溝に保持部材２７の係止部２８を係止することができる。
【００４３】
また、本実施例では、各係止爪１９が各係合突起２４に係止された状態で各可撓部２３がクリップ部２１の内方へ向けて撓み変形することを防止すべく各可撓部２３をその内方から押えるための押え部材としての機能を担う押え部３０が保持部材２７のカバー部２９に設けられており、クリップ部２１内への押え部３０の挿入状態がカバー部２９に設けられた保持部３１を柱部２０に形成された溝２６に係止することにより保持された例を示したが、これに代えて、押え部３０がクリップ部２１内に挿入された状態に保持することができれば、図示した手段以外の保持手段を用いることができる。
【００４４】
更に、本実施例では、空調機本体１０に組み込まれたエアミックスドアＤを回動させるためのアクチュエータ１１を空調機本体１０に取り付ける取付構造に本発明を適用した例を示したが、これに代えて、例えば外気および内気の吸入割合を調整するためのインテークドアのようにエアミックスドアＤ以外のドアを回動させるためのアクチュエータを空調機本体１０に取り付ける取付構造に本発明を適用することができる。
【００４５】
また、本実施例では、車両に設けられた空調装置の空調機本体１０にアクチュエータ１１を取り付ける取付構造に本発明を適用した例を示したが、これに代えて、ドアミラー、ドアロック、パワーウィンドウなどの車両用アクチュエータ、車両以外に設けられた空調装置の空調機本体にアクチュエータを取り付ける取付構造に本発明を適用することができる。
【図面の簡単な説明】
【００４６】
【図１】本発明に係る空調機本体にアクチュエータが取り付けられた状態を概略的に示す斜視図である。
【図２】本発明に係るアクチュエータを概略的に示す側面図である。
【図３】本発明に係る取付構造を概略的に示す縦断面図である。
【図４】取付部を概略的に示す平面図である。
【図５】本発明に係る保持部材を概略的に示す底面図である。
【図６】ブラケットと取付部との結合状態を概略的に示す縦断面図である。
【符号の説明】
【００４７】
１０  空調機本体
１３ａ  取付面（ハウジングの外周面）
２４  係合突起
２３  可撓部
２１  クリップ部
１１  アクチュエータ
１９  係止爪
１８  取付孔
１２  取付構造
２３ｂ  基端部（可撓部の基端部）
２５  規制部
３０  押え部材（保持部材の押え部）
【図１】
2007191033.tif 000003
【図２】
2007191033.tif 000004
【図３】
2007191033.tif 000005
【図４】
2007191033.tif 000006
【図５】
2007191033.tif 000007
【図６】
2007191033.tif 000008